(57)【要約】【課題】  携帯情報端末において、テレビ電話通話または画像通信の通信相手のプライバシーの保護を図る。【解決手段】  携帯電話機は、映像入出力部を備え、当該映像入出力部がケーブルでテレビ受像機に接続されることにより、当該テレビ受像機に動画像と音声とを出力する。携帯電話機は、テレビ電話通話が可能であり、当該テレビ電話通話によって通話相手の端末から送信されてきた画像および音声も、同様に、テレビ受像機１５０に出力する。テレビ電話通話中に、映像入出力部にケーブルが接続されると、テレビ電話通話の通話相手の端末において、通話相手から送信されてきた画像および音声をテレビ受像機に出力されることが報知されるような情報が送信される。これにより、通話相手の端末の表示部では、通話画面５１０内にメッセージ画像５１２が表示される。【選択図】        図７
2005354450.tif 000002
【特許請求の範囲】
【請求項１】
他の通信装置との間で画像の送受信を行なうための送受信手段と、
前記送受信手段を利用して画像の送受信がなされているか否かを判断する通信判断手段と、
前記送受信手段の受信した画像を前記他の通信装置とは異なる外部の装置へ出力するための接続手段と、
前記接続手段を介して外部の装置が接続されているか否かを判断する接続判断手段と、
前記接続判断手段によって前記接続手段を介して外部の装置が接続されていると判断され、かつ、前記通信判断手段によって前記送受信手段を利用した画像の送受信がなされていると判断された場合に、前記他の通信装置に対して、前記他の通信装置の送信した画像が前記外部装置において出力されていることを示す情報を送信する制御手段とを備える、携帯情報端末。
【請求項２】
他の端末との間でのテレビ電話通話を行なう機能を有する携帯情報端末であって、
テレビ電話通話に関する画像および音声のデータの送受信を行なう送受信手段と、
前記送受信手段を利用したテレビ電話通話がなされているか否かを判断する通話判断手段と、
外部の装置に接続するための接続手段と、
前記接続手段を介して、前記送受信手段の受信した画像および音声を外部の装置に出力する処理を実行する出力処理手段と、
前記接続手段を介して外部の装置が接続されているか否かを判断する接続判断手段と、
前記接続判断手段によって前記接続手段を介して外部の装置と接続されていると判断され、かつ、前記通話判断手段によってテレビ電話通話がなされていると判断された場合に、前記送受信手段に対し、テレビ電話通話の通話相手の端末に所定の情報を送信させる制御手段とを備える、携帯情報端末。
【請求項３】
前記所定の情報は、前記テレビ電話通話の通話相手の端末において、テレビ電話通話の画像および音声が、前記携帯情報端末とは異なる装置において出力されていることを示すメッセージを報知する情報である、請求項２に記載の携帯情報端末。
【請求項４】
前記所定の情報は、前記テレビ電話通話の通話相手の端末において、前記メッセージを表示させるための情報を含む、請求項３に記載の携帯情報端末。
【請求項５】
テレビ電話通話に関する画像を撮影する撮像手段をさらに備え、
前記所定の情報は、前記メッセージを、前記撮像手段の撮影した画像と合成させて、前記テレビ電話通話の通話相手の端末において表示させるための情報を含む、請求項４に記載の携帯情報端末。
【請求項６】
前記所定の情報は、前記テレビ電話通話の通話相手の端末において、前記メッセージに対応する音声を出力させるための情報を含む、請求項３〜請求項５に記載の携帯情報端末。
【請求項７】
前記制御手段は、前記送受信手段に対し、前記テレビ電話通話の通話相手の端末に、所定の時間間隔で、前記所定の情報を送信させる、請求項２〜請求項６のいずれかに記載の携帯情報端末。
【請求項８】
前記制御手段は、前記送受信手段に対し、前記接続判断手段によって前記接続手段を介して外部の装置と接続されていると判断され、かつ、前記通話判断手段によってテレビ電話通話がなされていると判断されている期間中、継続して、前記所定の情報を送信させる、請求項２〜請求項６のいずれかに記載の携帯情報端末。
【請求項９】
外部の映像を撮影することにより画像データを生成する画像データ生成手段と、
外部の音声を入力することにより音声データを生成する音声データ生成手段とをさらに備え、
前記送受信手段は、前記画像データ生成手段の生成する画像データおよび前記音声データ生成手段の生成する音声データを、テレビ電話通話の際に、通話相手の端末に送信し、
前記制御手段は、前記所定の情報を、前記画像データ生成手段の生成する画像データまたは前記音声データ生成手段の生成する音声データに合成して、前記送受信手段に送信させる、請求項２〜請求項８のいずれかに記載の携帯情報端末。
【請求項１０】
他の通信装置との間で画像の送受信する機能を有し、外部の装置に接続されることにより前記他の通信装置から受信した画像を外部の装置へ出力するための接続手段を備える携帯情報端末の制御方法であって、
前記他の通信装置との間で画像の送受信がなされているか否かを判断するステップと、
前記接続手段を介して外部の装置が接続されているか否かを判断するステップと、
前記接続手段を介して外部の装置と接続されていると判断され、かつ、前記他の通信装置との間で画像の送受信がなされていると判断された場合に、前記他の通信装置に対して、前記他の通信装置が送信した画像が外部の装置において出力されていることを示す情報を送信するステップとを備える、携帯情報端末の制御方法。
【請求項１１】
他の端末との間でのテレビ電話通話を行なう機能を有し、外部の装置に接続されることによりテレビ電話通話により受信した画像および音声を外部に出力するための接続手段を備える携帯情報端末の制御方法であって、
テレビ電話通話に関する画像および音声のデータの送受信を行なうステップと、
テレビ電話通話がなされているか否かを判断するステップと、
前記接続手段に外部の装置が接続されているか否かを判断するステップと、
前記接続手段に外部の装置が接続されていると判断され、かつ、テレビ電話通話がなされていると判断された場合に、テレビ電話通話の通話相手の端末に所定の情報を送信するステップとを備える、携帯情報端末の制御方法。
【発明の詳細な説明】
【技術分野】
【０００１】
本発明は、携帯情報端末に関し、特に、テレビ電話機能、または、少なくとも画像通信機能を備える携帯情報端末およびその制御方法に関するものである。
【背景技術】
【０００２】
近年、携帯電話機等の携帯情報端末において、特許文献１等に開示されているような画像情報および音声情報を利用した通話機能であるテレビ電話機能を備えるものが実用化されている。なお、特許文献１に記載されたテレビ電話機は、留守録機能を備え、さらに、メッセージ記録可能な残り時間を通話相手に報知する機能を備えている。
【０００３】
一方、携帯情報端末は、携帯性を備えているため、基本的に個人的に利用されるものであると考えられている。したがって、携帯情報端末におけるテレビ電話機能を利用した通話では、画像情報や音声情報の送受信がなされるとしても、当該画像情報や音声情報は個人的に視聴されるものと考えられ、比較的個人的な画像情報および音声情報の送受信が行なわれる場合もあると考えられる。
【０００４】
このような携帯情報端末において、少なくとも画像情報の送受信が行なわれる以上、送信された情報がどのように利用されるかを送信者が把握できるようにする等、当該情報を送信した者のプライバシー保護についての考慮が必要であると考えられる。
【０００５】
なお、テレビ電話機能に関する技術に関連した技術であって、カメラで撮影された画像が、当該カメラから離間した場所で視聴される際に、カメラで撮影される者のプライバシー保護を考慮された技術としては、特許文献２に記載された技術が挙げられる。特許文献２には、ナースコールインターホン装置についての技術が開示され、具体的には、ナースセンタ内で所定の操作がなされることにより、病室に設置された監視カメラが作動してナースセンタ内のモニタテレビに当該監視カメラの撮影する映像が映し出されるような場合に、動作表示灯を点灯させることによって監視カメラが動作中である旨を患者に報知する技術が開示されている。
【特許文献１】特開平８−２３５２５号公報
【特許文献２】特開平１１−３６８号公報
【発明の開示】
【発明が解決しようとする課題】
【０００６】
しかしながら、従来のテレビ電話機能を備える携帯情報端末において、上記の特許文献２に記載の技術を適用しても、画像情報や音声情報を送信した者のプライバシー保護に寄与する技術が創造されるとは言い難い。テレビ電話機能を備える携帯情報端末を用いて画像情報や音声情報を送信しようとする者は、当該携帯情報端末に備えられたテレビ電話用のカメラやマイクが動作中であるか否かは、改めて報知するまでもなく認識できると考えられるとともに、上記の特許文献２に記載の技術が適用されても、送信された画像情報や音声情報の用途を送信者に報知することはできないからである。
【０００７】
本発明は、かかる実情に鑑み考え出されたものであり、その目的は、テレビ電話通話や画像通信の際の通信相手のプライバシーの保護を図ることのできる携帯情報端末およびその制御方法を提供することである。
【課題を解決するための手段】
【０００８】
本発明のある局面に従った携帯情報端末は、他の通信装置との間で画像の送受信を行なうための送受信手段と、前記送受信手段を利用して画像の送受信がなされているか否かを判断する通信判断手段と、前記送受信手段の受信した画像を前記他の通信装置とは異なる外部の装置へ出力するための接続手段と、前記接続手段を介して外部の装置が接続されているか否かを判断する接続判断手段と、前記接続判断手段によって前記接続手段を介して外部の装置が接続されていると判断され、かつ、前記通信判断手段によって前記送受信手段を利用した画像の送受信がなされていると判断された場合に、前記他の通信装置に対して、前記他の通信装置の送信した画像が前記外部装置において出力されていることを示す情報を送信する制御手段とを備えることを特徴とする。
【０００９】
本発明の他の局面に従った携帯情報端末は、他の端末との間でのテレビ電話通話を行なう機能を有する携帯情報端末であって、テレビ電話通話に関する画像および音声のデータの送受信を行なう送受信手段と、前記送受信手段を利用したテレビ電話通話がなされているか否かを判断する通話判断手段と、外部の装置に接続するための接続手段と、前記接続手段を介して、前記送受信手段の受信した画像および音声を外部の装置に出力する処理を実行する出力処理手段と、前記接続手段を介して外部の装置が接続されているか否かを判断する接続判断手段と、前記接続判断手段によって前記接続手段を介して外部の装置と接続されていると判断され、かつ、テレビ電話通話がなされていると判断された場合に、前記送受信手段に対し、前記通話判断手段によってテレビ電話通話の通話相手の端末に所定の情報を送信させる制御手段とを備えることを特徴とする。
【００１０】
また、本発明に従った携帯情報端末では、前記所定の情報は、前記テレビ電話通話の通話相手の端末において、テレビ電話通話の画像および音声が、前記携帯情報端末とは異なる装置において出力されていることを示すメッセージを報知する情報であることが好ましい。
【００１１】
また、本発明に従った携帯情報端末では、前記所定の情報は、前記テレビ電話通話の通話相手の端末において、前記メッセージを表示させるための情報を含むことが好ましい。
【００１２】
また、本発明に従った携帯情報端末では、テレビ電話通話に関する画像を撮影する撮像手段をさらに備え、前記所定の情報は、前記メッセージを、前記撮像手段の撮影した画像と合成させて、前記テレビ電話通話の通話相手の端末において表示させるための情報を含むことが好ましい。
【００１３】
また、本発明に従った携帯情報端末では、前記所定の情報は、前記テレビ電話通話の通話相手の端末において、前記メッセージに対応する音声を出力させるための情報を含むことが好ましい。
【００１４】
また、本発明に従った携帯情報端末では、前記制御手段は、前記送受信手段に、前記テレビ電話通話の通話相手の端末に、所定の時間間隔で、前記所定の情報を送信させることが好ましい。
【００１５】
また、本発明に従った携帯情報端末では、前記制御手段は、前記送受信手段に対し、前記接続判断手段によって前記接続手段を介して外部の装置と接続されていると判断され、かつ、前記通話判断手段によってテレビ電話通話がなされていると判断されている期間中、継続して、前記所定の情報を送信させることが好ましい。
【００１６】
また、本発明に従った携帯情報端末は、外部の映像を撮影することにより画像データを生成する画像データ生成手段と、外部の音声を入力することにより音声データを生成する音声データ生成手段とをさらに備え、前記送受信手段は、前記画像データ生成手段の生成する画像データおよび前記音声データ生成手段の生成する音声データを、テレビ電話通話の際に、通話相手の端末に送信し、前記制御手段は、前記所定の情報を、前記画像データ生成手段の生成する画像データまたは前記音声データ生成手段の生成する音声データに合成して、前記送受信手段に送信させることが好ましい。
【００１７】
本発明のある局面に従った携帯情報端末の制御方法は、他の通信装置との間で画像の送受信する機能を有し、外部の装置に接続されることにより前記他の通信装置から受信した画像を外部の装置へ出力するための接続手段を備える携帯情報端末の制御方法であって、前記他の通信装置との間で画像の送受信がなされているか否かを判断するステップと、前記接続手段を介して外部の装置が接続されているか否かを判断するステップと、前記接続手段を介して外部の装置と接続されていると判断され、かつ、前記他の通信装置との間で画像の送受信がなされていると判断された場合に、前記他の通信装置に対して、前記他の通信装置が送信した画像が外部の装置において出力されていることを示す情報を送信するステップとを備えることを特徴とする。
【００１８】
本発明の他の局面に従った携帯情報端末の制御方法は、他の通信装置との端末との間でのテレビ電話通話を行なう機能を有し、外部の装置に接続されることによりテレビ電話通話により受信した画像および音声を外部に出力するための接続手段を備える携帯情報端末の制御方法であって、テレビ電話通話に関する画像および音声のデータの送受信を行なうステップと、テレビ電話通話がなされているか否かを判断するステップと、前記接続手段に外部の装置が接続されているか否かを判断するステップと、前記接続手段に外部の装置が接続されていると判断され、かつ、テレビ電話通話がなされていると判断された場合に、テレビ電話通話の通話相手の端末に所定の情報を送信するステップとを備えることを特徴とする。
【発明の効果】
【００１９】
本発明によると、携帯情報端末において、テレビ電話通話中に端子にケーブルが接続された場合や、端子にケーブルが接続された状態でテレビ電話通話が開始される場合に、テレビ電話通話の通話相手に対して、所定の情報を送信することで、当該端子にケーブルが接続されて、テレビ電話通話に基づいた音声や画像が外部の出力装置に出力されることを報知することができる。
【００２０】
したがって、本発明に従った携帯情報端末は、テレビ電話通話の通話相手が送信してきた音声や画像が当該相手の意図に反した用途で利用されることを回避するための情報を当該相手に提供でき、これにより、当該相手のプライバシーの保護に寄与できる。
【００２１】
また、本発明によると、携帯情報端末において、テレビ電話通話の通話相手に、当該テレビ電話通話に基づいた音声や画像が外部の出力装置に出力されていることが、メッセージとして直接的に報知されるため、当該通話相手に、容易に、事態を理解させることができる。
【００２２】
また、本発明によると、携帯情報端末において、上記のようなメッセージが表示されたり音声で出力されたりするため、通話相手に、さらに容易に、事態を理解させることができる。
【００２３】
また、本発明によると、携帯情報端末において、上記のメッセージが、通話相手の端末において、通話相手が注目していると考えられるテレビ電話通話に基づいた画像と、合成されて表示されるようになるため、さらに容易に、事態を理解させることができる。
【００２４】
また、本発明によると、携帯情報端末において、所定の情報の送信が、所定の時間間隔で行なわれるため、上記のようなメッセージが表示されたり、当該メッセージが音声として出力されたりする場合に、通話に与える支障を抑えることができる。
【００２５】
また、本発明によると、携帯情報端末において、所定の情報の送信が、継続して行なわれるため、テレビ電話通話の通話相手に、当該テレビ電話通話に基づいた音声や画像が外部の出力装置に出力されていることを確実に理解させることができる。
【００２６】
また、本発明によると、携帯情報端末において、所定の情報が、本来テレビ電話通話において送信されるデータに合成されて、送信される。これにより、携帯情報端末において、テレビ電話通話の際において、所定の情報を送信することによる負担を最小限に抑えることができる。
【００２７】
なお、テレビ電話は、通常、画像と音声の両方の送受信からなるが、本発明は、少なくとも画像が送受信され、そして、当該画像が外部出力された場合に、通信相手にその旨が送信されるように構成される。これにより、通信相手が送信してきた画像が、当該相手の意図に反した用途で利用されることを回避するための情報を当該通信相手に提供できるため、これにより、当該通信相手のプライバシーの保護に寄与できる。
【発明を実施するための最良の形態】
【００２８】
以下、本発明の一実施の形態について図面を参照して説明する。以下の説明では、同一の名称および機能を有するものには同一の符号を付し、それらについての詳細な説明は繰返さない。
【００２９】
図１は、本発明の携帯情報端末の一実施の形態である携帯電話機１００の概観斜視図である。図１（Ａ）は、利用者の操作面側から見た携帯電話の外観を示す図である。図１（Ｂ）は、携帯電話の操作面の背面側から見た携帯電話の外観を示す図である。
【００３０】
図１（Ａ）および図１（Ｂ）を参照して、携帯電話機１００は、アンテナ１３５を備えた第１の筐体１２１と、第２の筐体１２３とを含む。第１の筐体１２１と第２の筐体１２３とは、接続部１２２により、回動自在に接続される。
【００３１】
第１の筐体１２１は、スピーカ１２５と、内側液晶表示装置１２７Ａと、カメラ１２９とが配置され、内側液晶表示装置１２７Ａに対向する裏面には、外側液晶表示装置１２７Ｂが配置される。第２の筐体１２３は、操作ボタン１３１Ａと、数字ボタン１３１Ｂと、マイク１３３とが配置され、操作ボタン１３１Ａの裏面には、映像入出力部１３８が配置される。
【００３２】
カメラ１２９は、たとえばＣＣＤ（Charge Coupled Device）を含む。カメラ１２９により、外部の映像を撮影することにより画像データを生成する画像データ生成手段が構成される。
【００３３】
第１の筐体１２１と第２の筐体１２３とは、接続部１２２を回転軸として回動する。これにより、携帯電話機１００では、第１の筐体１２１の内側液晶表示装置１２７Ａと第２の筐体１２３の数字ボタン１３１Ｂとが互いに向き合う状態で折り畳まれることが可能となる。携帯電話機１００を折り畳んだ状態では、外側液晶表示装置１２７Ｂでの表示が有効とされ、携帯電話機１００を開いた状態では、内側液晶表示装置１２７Ａでの表示が有効とされる。なお、内側液晶表示装置１２７Ａと外側液晶表示装置１２７Ｂのいずれを有効とするかは、携帯電話機１００の開閉状態の条件に限られず、他の条件、たとえば、開いた状態で操作ボタン１３１Ａの押下などにより、切替えられてもよい。
【００３４】
また、本実施の形態では、いわゆる折り畳み型の携帯電話機について例示しているが、ストレートタイプであっても良いし、２軸タイプ（接続部１２２の回転軸心方向と垂直方向に第２の回動軸を設け、第１の筐体１２１を回動自在に設ける）であっても良い。
【００３５】
操作ボタン１３１Ａは、内側液晶表示装置１２７Ａに表示されたカーソルを移動させるための移動ボタン、確定した指示を入力するための決定ボタン等を含む。数字ボタン１３１Ｂは、数字、文字または記号を入力するためのボタンである。数字ボタン１３１Ｂは、０〜９までの数字と、「＊」および「＃」の記号が付された合計１２のボタンからなる。各ボタンには、アルファベット、かな、または、記号が割当てられており、入力モードの切換により、数字入力、かな入力が可能となっている。
【００３６】
映像入出力部１３８は、携帯電話機１００が外部の装置と接続されるための端子であり、映像入出力部１３８には、その一端がテレビ受像機１５０と接続されたケーブル１５１の、他端が接続される。ケーブル１５１は、一端がテレビ受像機１５０の映像入力端子および音声入力端子に接続される。テレビ受像機１５０は、携帯電話機１００から画像を受信して、当該画像と音声を出力する。したがって、映像入出力部１３８は、ケーブル１５１を介してテレビ受像機１５０に接続された状態において、テレビ受像機１５０に画像と音声とを出力する。制御部１０１は、映像入出力部１３８にケーブル１５１が接続されているか否かを検出できる。なお、制御部１０１が、映像入出力部１３８へのケーブル１５１の接続の有無を電気的に検出できるように、携帯電話機１００では、たとえば、映像入出力部１３８へのケーブル１５１の接続の有無により図示せぬ複数の端子同士の電気的な接続状態を変化されるように構成されている。また、本実施の形態では、携帯電話機１００は、テレビ受像機１５０と接続されているが、テレビ受像機１５０の代わりに、チューナを有しない画像を表示可能な表示装置と音声を出力するスピーカとに接続されてもよい。また、携帯電話機１００内にテレビ放送の受信部や、配信された動画像データを受信できる別の通信手段（例えば無線ＬＡＮ（Local Area Network）など）を備え、外部モニタである出力装置に映像および音声を出力できる構成であっても良い。
【００３７】
なお、本実施の形態では、外部の装置であるテレビ受像機１５０との接続方法としては、ケーブルを用いたものを例示しているが、本発明はこれに限定されない。本発明における外部の装置としては、携帯情報端末にケーブルで直接接続された機器はもちろんのこと、ＢｌｕｅｔｏｏｔｈやＩＥＥＥ８０１．１１ａ／ｂ／ｇ等の技術を利用して無線接続された外部機器や、ＬＡＮ等のネットワークを介して接続された外部機器全般を含む。
【００３８】
また、本実施の形態では、本発明の携帯情報端末が他の端末または通信機器から情報を受信する態様として、一般的なテレビ電話を適用した場合を例示しているが、本発明はこれに限定されない。少なくとも、本発明の携帯情報端末は、他の端末または通信機器との間で画像の双方向通信が可能な場合で、通信相手から受信した画像を外部出力する場合に通信相手がその旨をわかるように所定の情報を送信するものであればよい。これにより、当該通信相手は、自分の送信した画像が相手方で外部出力された場合に、その旨を知ることができる。このことにより、画像を送信した者は、自らの送信した画像が、たとえば大画面の表示手段へ出力されている等、不特定多数の者によって見られる可能性のある状態であるのかがわかる。すなわち、本発明の携帯情報端末は、通信相手の送信してきた画像が当該通信相手の意図に反した用途で利用されることを回避するための情報を、当該通信相手側の端末（機器）に提供でき、これにより、当該通信相手のプライバシーの保護に寄与できる。
【００３９】
図２は、携帯電話機１００の機能を示す機能ブロック図である。図２を参照して、携帯電話機１００は、当該携帯電話機１００の全体を制御するための制御部１０１と、制御部１０１で実行するプログラムを記憶するＲＯＭ（Read Only Memory）１０４と、予め定められた初期値等を記憶するＥＥＰＲＯＭ（electrically erasable/programable read only memory）１０２と、マイク１３３およびスピーカ１２５に接続されたデータ処理部１０３と、カメラ１２９に接続された画像処理部１１１と、記憶部１１３と、映像入出力部１３８と接続される映像処理部１１５と、内側液晶表示装置１２７Ａおよび外側液晶表示装置１２７Ｂと接続される表示制御部１０７と、操作ボタン１３１Ａおよび数字ボタン１３１Ｂと接続される入力制御部１０９とを含む。なお、これらは、バス１１７によって適宜接続されている。
【００４０】
携帯電話機１００は、さらに、データ処理部１０３に接続された通信制御部１０５を含む。通信制御部１０５は、アンテナ１３５と接続される。通信制御部１０５は、携帯電話機の基地局と無線通信する。通信制御部１０５は、基地局から受信した信号をデータ処理部１０３に出力し、データ処理部１０３から受信した信号を基地局に送信する。
【００４１】
通信制御部１０５は、基地局から通話の開始を要求する着呼信号を受信した場合には、着呼信号をデータ処理部１０３に出力する。通信制御部１０５は、基地局から電子メールを受信した場合には、電子メールをデータ処理部１０３に出力する。着呼信号の受信および電子メールの受信は、携帯電話機１００に無線通信の接続を要求する接続要求信号の受信である。
【００４２】
また、携帯電話機１００では、操作ボタン１３１Ａおよび数字ボタン１３１Ｂに適宜操作がなされることによって、入力制御部１０９から制御部１０１に、テレビ電話の発呼または電子メールの送信を要求する信号が入力される。そして、これに応じて、通信制御部１０５は、基地局に対し、通話を開始する信号（発呼信号）、または、電子メールを、送信する。
【００４３】
データ処理部１０３は、制御部１０１により制御される。データ処理部１０３は、マイク１３３から入力された音声信号をデジタル信号に変換して、デジタル信号に所定の圧縮処理を施して通信制御部１０５に出力し、また、通信制御部１０５から入力される音声信号を伸張してアナログ信号に変換した後スピーカ１２５に出力する。また、データ処理部１０３は、通信制御部１０５から受信された画像データを記憶部１１３に記憶する。さらに、データ処理部１０３は、通信制御部１０５から電子メールが入力される場合、入力された電子メールを記憶部１１３に記憶する。なお、マイク１３３とデータ処理部１０３により、外部の音声を入力することにより音声データを生成する音声データ生成手段が構成される。
【００４４】
画像処理部１１１は、制御部１０１からの指示に従って、カメラ１２９で撮像して得られる画像データをカメラ１２９から入力する。そして、画像処理部１１１は、入力された画像データをＪＰＥＧ（joint photographic experts group）、ＭＰＥＧ（moving picture experts group）等の圧縮方式で圧縮して記憶部１１３に記憶する。
【００４５】
記憶部１１３は、記録媒体を備えており、制御部１０１からの指示に従って、当該記録媒体に関して、データの書き込みおよび読み出しを行なう。当該記録媒体に画像データが記録されている場合には、記憶部１１３は、その画像データを読み出すことができる。
【００４６】
表示制御部１０７は、制御部１０１からの指示に従って、内側液晶表示装置１２７Ａおよび外側液晶表示装置１２７Ｂのいずれか、または、両方に、映像信号を出力する。映像信号は、動画像および静止画像を含む。
【００４７】
映像処理部１１５は、制御部１０１からの指示に従って、映像入出力部１３８を介して入力された画像と音声とを、デジタル信号に変換し、たとえばＭＰＥＧ２などの圧縮方式で圧縮して記憶部１１３に記憶する。また、映像処理部１１５は、制御部１０１からの指示に従って、記憶部１１３に記憶されている圧縮データを伸張することによって得られた画像と音声を、映像入出力部１３８に出力する。映像入出力部１３８は、ケーブル１５１でテレビ受像機１５０と接続されているため、映像入出力部１３８に入力された画像と音声は、テレビ受像機１５０に出力されて、テレビ受像機１５０から出力される。また、携帯電話機１００が、テレビ放送の受信部、配信された画像データを受信できる別の通信手段（例えば無線ＬＡＮなど）を備える場合には、映像処理部１１５は、制御部１０１からの指示に従って、それらにより受信された画像を映像入出力部１３８に出力するようにしてもよい。
【００４８】
映像処理部１１５は、また、通信制御部１０５で受信されたデータに基づく画像および音声を、映像入出力部１３８に出力する。映像入出力部１３８がテレビ受像機１５０に接続されると、映像処理部１１５による処理によって、通信制御部１０５で受信されたデータに基づく画像および音声は、テレビ受像機１５０で出力される。なお、通信制御部１０５で受信される画像は、静止画と動画とを含む。通信制御部１０５が受信する画像は、テレビ電話の通信を実行する場合に受信される画像、電子メールに添付された画像が含まれる。
【００４９】
入力制御部１０９は、制御部１０１からの指示に従って、操作ボタン１３１Ａおよび数字ボタン１３１Ｂからの入力を受付ける。入力制御部１０９は、操作ボタン１３１Ａおよび数字ボタン１３１Ｂからの入力の受付けに応じて、各ボタンに予め割当てられた入力信号を制御部１０１に出力する。
【００５０】
制御部１０１は、記憶部１１３に記録された出力制御プログラムを読み出し、実行する。なお、本実施の形態では、制御部１０１で実行される出力制御プログラムが記憶部１１３に記憶される例を示すが、他の記録媒体、たとえば、フレキシブルディスク、カセットテープ、ＣＤ−ＲＯＭ、ハードディスク、光ディスク（ＭＯ（Magnetic Optical Disc）／ＭＤ（Mini Disc）／ＤＶＤ（Digital Versatile Disc））、ＩＣカード（メモリカードを含む）、光カード、マスクＲＯＭ、ＥＰＲＯＭ、ＥＥＰＲＯＭ、フラッシュＲＯＭなどの半導体メモリ等の、固定的にプログラムを担持する媒体に記憶されていてもよい。
【００５１】
また、ここでいうプログラムは、ＣＰＵ（Central Processing Unit）により直接実行可能なプログラムだけでなく、ソースプログラム形式のプログラム、圧縮処理されたプログラム、暗号化されたプログラム等を含む。
【００５２】
次に、携帯電話機１００において実行される動作を具体的に説明する。なお、携帯電話機１００は、テレビ電話通話時に、映像入出力部１３８にケーブル１５１を接続されることによってテレビ受像機１００に接続されたときの動作に特徴を有する。したがって、以下の部分では、そのようなときの携帯電話機１００の動作を中心とした説明を行なう。
【００５３】
図３は、制御部１０１が実行するメインルーチンのフローチャートである。
【００５４】
図３を参照して、制御部１０１は、携帯電話機１００に電源を投入されると、まず、ステップＳ１（以下、「ステップ」を省略する）で、待機状態に入るための処理を行なう。待機状態とは、たとえば、内側液晶表示装置１２７Ａに予め定められた待機画面が表示されるような状態を言う。
【００５５】
次に、制御部１０１は、Ｓ２で、携帯電話機１００において発信があったか否かを判断する。発信とは、通信制御部１０５が、基地局に対して発呼信号または電子メールを送信することを言う。そして、制御部１０１は、発信があったと判断するとＳ４へ、なかったと判断するとＳ３へ、それぞれ処理を進める。
【００５６】
Ｓ３では、制御部１０１は、携帯電話機１００において着信があったか否かを判断する。着信とは、通信制御部１０５において、着呼信号の受信または電子メールの受信があったことを言う。そして、制御部１０１は、着信があったと判断するとＳ４へ、なかったと判断するとＳ７へ、それぞれ処理を進める。
【００５７】
Ｓ４では、制御部１０１は、Ｓ２における発信またはＳ３における着信が、テレビ電話通話によるものであるか否かを判断し、そうであると判断するとＳ５へ、そうではないと判断すると（つまり、電子メールの送受信に関するもの）Ｓ６へ、それぞれ処理を進める。
【００５８】
Ｓ５では、制御部１０１は、テレビ電話通話のための処理であるテレビ電話処理を実行した後、Ｓ１に処理を戻す。なお、テレビ電話処理の内容は、後述する。
【００５９】
Ｓ６では、制御部１０１は、電子メールの送受信に関する処理である通信処理を行なった後、Ｓ７に処理を進める。
【００６０】
Ｓ７では、制御部１０１は、映像入出力部１３８へのケーブル１５１の接続の有無を判断し、接続されていると判断するとＳ８へ、接続されていないと判断するとＳ９へ、それぞれ処理を進める。
【００６１】
Ｓ８では、制御部１０１は、映像入出力部１３８を介してテレビ受像機１５０に画像や音声を出力するための処理である外部出力制御処理を実行した後、Ｓ１に処理を戻す。なお、外部出力制御処理の内容は、後述する。
【００６２】
Ｓ９では、制御部１０１は、入力制御部１０９に情報の入力がなされたか否かを判断する。そして、制御部１０１は、入力がなされたと判断すると、Ｓ１０で当該入力に応じた処理を実行した後、Ｓ１に処理を戻す。一方、制御部１０１は、入力がなかったと判断すると、そのまま処理をＳ１に戻す。
【００６３】
図４は、上記したＳ５のテレビ電話処理のサブルーチンのフローチャートである。
【００６４】
図４を参照して、テレビ電話処理では、制御部１０１は、まずＳ５１で、テレビ電話通話のための情報の送受信に関する処理を実行する。
【００６５】
次に、制御部１０１は、Ｓ５２で、映像入出力部１３８へのケーブル１５１の接続の有無を判断し、接続されていると判断するとＳ５３へ、接続されていないと判断するとＳ５４へ、それぞれ処理を進める。
【００６６】
Ｓ５３では、制御部１０１は、テレビ電話通話において通話相手から受信した音声および画像をテレビ受像機１５０に出力する処理を行なった後、ＳＡ１に処理を進める。なお、Ｓ５３では、具体的には、制御部１０１は、映像処理部１１５に、通信制御部１０５の受信する音声および画像を、映像入出力部１３８へと出力させる。音声および画像の映像入出力部１３８への出力は、テレビ電話通話または映像入出力部１３８へのケーブル１５１の接続のいずれかが終了するまで、継続される。
【００６７】
そして、ＳＡ１では、制御部１０１は、テレビ電話通話の通話相手に、画像および音声をテレビ受像機１５０に出力している旨を報知するための出力報知処理を実行する。なお、出力報知処理の内容は図６を参照して後述する。
【００６８】
一方、Ｓ５４では、制御部１０１は、通信制御部１０５における通信状況をチェックすることにより、テレビ電話通話が終了したか否かを判断する。そして、制御部１０１は、テレビ電話通話が終了したと判断すると、Ｓ５５で、テレビ電話通話が終了されたことに対応して内側液晶表示装置１２７Ａの表示内容等を制御するための処理（通話終了用処理）を実行した後、リターンする。一方、制御部１０１は、テレビ電話通話がまだ終了していないと判断すると、そのままＳ５２に処理を戻す。
【００６９】
図５は、上記したＳ８の外部出力制御処理のサブルーチンのフローチャートである。
【００７０】
図５を参照して、外部出力制御処理では、制御部１０１は、まずＳ８１で、上記したＳ５３と同様の処理である、テレビ電話通話において通話相手から受信した音声および画像をテレビ受像機１５０に出力する処理を行なう。
【００７１】
次に、Ｓ８２で、制御部１０１は、携帯電話機１００において発信があったか否かを判断し、発信があったと判断するとＳ８４へ、なかったと判断するとＳ８３へ、それぞれ処理を進める。
【００７２】
Ｓ８３では、制御部１０１は、携帯電話機１００において着信があったか否かを判断し、着信があったと判断するとＳ８４へ、なかったと判断するとＳ８６へ、それぞれ処理を進める。
【００７３】
Ｓ８４では、制御部１０１は、Ｓ８２における発信またはＳ８３における着信が、テレビ電話通話によるものであるか否かを判断し、そうであると判断するとＳ８５へ、そうではないと判断するとＳＡ１へ、それぞれ処理を進める。
【００７４】
そして、ＳＡ１では、制御部１０１は、上記したような出力報知処理を実行する。
【００７５】
Ｓ８５では、制御部１０１は、電子メールの送受信に関する処理である通信処理を行なった後、Ｓ８６に処理を進める。
【００７６】
Ｓ８６では、制御部１０１は、映像入出力部１３８へのケーブル１５１の接続が解除されたか否かを判断し、解除されたと判断するとＳ１に処理を戻し、解除されていないと判断するとＳ８２に処理を戻す。
【００７７】
図６は、ＳＡ１における出力報知処理のサブルーチンのフローチャートである。
【００７８】
図６を参照して、出力報知処理では、制御部１０１は、ＳＡ１１で、画像処理部１１１に、カメラ１２９で撮影された画像のデータに、ＲＯＭ１０４に記憶されている「外部出力されています」というメッセージの画像のデータを合成させる処理を行なう。なお、このＳＡ１１におけるデータ合成の処理は、ＳＡ１３またはＳＡ１５で停止されるまで、継続して行なわれる。
【００７９】
ＳＡ１１の処理により、携帯電話機１００のテレビ電話通話の通話相手の端末の表示部には、図７に示すように、カメラ１２９で撮影された画像と「外部出力されています」というメッセージとが、表示されるようになる。なお、図７を参照して、当該通話相手の端末の表示部に表示される画面５００には、カメラ１２９で撮影された画像を表示するための通話画面５１０と、当該通話相手の端末の電波状況を示すためのアンテナピクト５０１、当該通話相手の端末がテレビ電話通話中であることを示すための画像５０２と、当該通話相手の端末におけるテレビ電話通話において出力される音量を示す画像５０３とが含まれる。そして、通話画面５１０内には、携帯電話機１００のカメラ１２９の撮影する通話者の画像である通話者画像５１１とともに、上記したような「外部出力されています」というメッセージに対応するメッセージ画像５１２が表示されている。
【００８０】
再度図６を参照して、次に、ＳＡ１２で、制御部１０１は、映像入出力部１３８へのケーブル１５１の接続が解除されたか否かを判断し、解除されたと判断するとＳＡ１３に処理を進め、解除されていないと判断するとＳＡ１４に処理を進める。
【００８１】
ＳＡ１３では、制御部１０１は、ＳＡ１１で開始したデータの合成を停止させる。これにより、テレビ電話通話の通話相手の表示部に表示される画面では、図８に示すように、上記したような「外部出力されています」というメッセージの表示が行なわれなくなる。
【００８２】
図８を参照して、ＳＡ１３の処理が行なわれると、テレビ電話通話の通話相手の表示部では、画面５９０が表示されるようになる。画面５９０には、図７に示した画面５００と同様に、アンテナピクト５０１、および、画像５０２，５０３が含まれる。そして、画面５９０には、通話画面５１０の代わりに、通話画面５９１が含まれる。通話画面５１０と比較すると、通話画面５９１には、通話者画像５１１は含まれるが、メッセージ画像５１２は含まれない。
【００８３】
再度図６を参照して、ＳＡ１４では、制御部１０１は、通信制御部１０５における通信状況をチェックすることにより、テレビ電話通話が終了したか否かを判断する。そして、制御部１０１は、テレビ電話通話が終了したと判断すると、ＳＡ１５で、ＳＡ１１で開始したデータの合成を終了させ、さらに、ＳＡ１６で、テレビ電話通話が終了されたことに対応して内側液晶表示装置１２７Ａの表示内容等を制御するための処理（通話終了用処理）を実行した後、Ｓ１に処理を戻す。一方、制御部１０１は、テレビ電話通話がまだ終了していないと判断すると、そのままＳＡ１２に処理を戻す。
【００８４】
以上説明した本実施の形態では、携帯電話機１００は、映像入出力部１３８を備え、映像入出力部１３８がケーブル１５１でテレビ受像機１５０に接続されることにより、テレビ受像機１５０に画像と音声とを出力する。携帯電話機１００は、テレビ電話通話が可能であり、当該テレビ電話通話によって通話相手の端末から送信されてきた画像および音声も、同様に、テレビ受像機１５０に出力する。そして、テレビ電話通話中に、映像入出力部１３８にケーブル１５１が接続されると、テレビ電話通話の通話相手の端末において、通話相手から送信されてきた画像および音声をテレビ受像機１５０に出力されることが報知されるような情報が送信される。これにより、通話相手の端末の表示部では、図７に示したように、通話画面５１０内にメッセージ画像５１２が表示される。
【００８５】
なお、本実施の形態では、携帯電話機１００のテレビ電話通話の通話相手の端末で表示される通話画面５９１に、通話者画像５１１のみが含まれるように記載されたが、これは単なる一例であり、通話画面５９１には、一般的なテレビ電話通話の際と同様に、基本的に、カメラ１２９で撮影された画像が表示される。
【００８６】
また、本実施の形態では、映像入出力部１３８にケーブル１５１が接続されている期間中は、ＳＡ１１におけるデータの合成が継続して行なわれるため、当該期間中は継続して通話相手の端末の表示部にメッセージ画像５１２が表示されるような制御がなされたが、本発明に従った報知の態様はこれに限定されない。つまり、ＳＡ１１におけるデータの合成は、映像入出力部１３８にケーブル１５１が接続されている期間中、一定時間ごとに１回（たとえば、２秒間に１回等）行なわれても良い。これにより、通話相手の端末の表示部には、メッセージ画面５１２は、一定時間ごとの１回表示されることになる。
【００８７】
また、本実施の形態では、上記のような報知は、メッセージ画像５１２に対応する画像データを、カメラ１２９で撮影された画像に基づく画像データに合成して、通話相手の端末に送信することにより、通話画面５１０内にメッセージ画像５１２を表示させることによって行なわれていたが、本発明に基づいた報知の態様はこれに限定されない。携帯電話機１００は、上記のような報知を行なう際に、メッセージ画像５１２のような表示を行なうための画像データを、カメラ１２９で撮影された画像に基づく画像データと合成することなく送信しても良い。この場合、通話相手の端末は、このような画像データを受信することにより、たとえば図９に示すように、通話画面５９１の外に、専用の画像５９３を表示するように構成されていることが好ましい。なお、図９は、通話相手の端末の表示部に表示される画面５９２が示されている。そして、画面５９２には、図８に示した画面５９０と同様に、通話者画像５１１を含む通話画面５９１、アンテナピクト５０１、および、画像５０２，５０３が含まれる。そして、画面５９２には、さらに、当該端末からテレビ電話通話のために送信した画像および音声が通話相手である携帯電話機１００において外部の装置に出力されていることを報知するための画像５９３が含まれる。
【００８８】
また、本実施の形態では、上記のような報知が、通話相手の端末の表示部にメッセージを表示するような態様でなされたが、報知の態様は、これに限定されない。たとえば、通話相手の端末に、特定の音声を出力させることにより、報知がなされても良い。
【００８９】
音声による報知としては、たとえば、携帯電話機１００において映像入出力部１３８へのケーブル１５１の接続が検出されると、制御部１０１が、画像処理部１１１に画像データの合成をさせる代わりに、データ処理部１０３に、マイク１３３から入力された音声信号をデジタル信号に変換した後、ＲＯＭ１０４に記憶された「外部出力されています」等のメッセージに対応した音声データと合成して、テレビ電話通話の通話相手の端末に送信することが考えられる。これにより、当該通話相手の端末では、マイク１３３で入力された音声と同時に、「外部出力されています」という音声が出力される。
【００９０】
また、音声による報知の他の例として、携帯電話機１００において映像入出力部１３８へのケーブル１５１の接続が検出されると、制御部１０１が、通話相手の端末に対して、通常のテレビ電話通話の際に送信するデータに、通話相手の端末において音声を報知用の音声を出力させるための制御信号を送信することも考えられる。このような場合、通話相手の端末は、そのような制御信号を受信することにより、予め記憶された音声データを出力するように構成されていることが好ましい。
【００９１】
なお、上記したような音声による報知では、いずれの例においても、携帯電話機１００において映像入出力部１３８にケーブル１５１が接続されている期間中、継続的に行なわれても良いし、一定時間に一回行なわれても良い。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９３】
【図１】本発明の携帯情報端末の一実施の形態である携帯電話機の概観斜視図である。
【図２】図１の携帯電話機の機能ブロック図である。
【図３】図２の制御部のメインルーチンのフローチャートである。
【図４】図３のテレビ電話処理のサブルーチンのフローチャートである。
【図５】図３の外部出力制御処理のサブルーチンのフローチャートである。
【図６】図４および図５の出力報知処理のサブルーチンのフローチャートである。
【図７】図１の携帯電話機の、テレビ電話通話の通話相手の端末の表示部の画面に表示される画面の一例を示す図である。
【図８】図１の携帯電話機の、テレビ電話通話の通話相手の端末の表示部の画面に表示される画面の他の一例を示す図である。
【図９】図１の携帯電話機の、テレビ電話通話の通話相手の端末の表示部の画面に表示される画面のさらに他の一例を示す図である。
【符号の説明】
【００９４】
１００  携帯電話機、１０１  制御部、１０３  データ処理部、１０５  通信制御部、１０７  表示制御部、１０９  入力制御部、１１１  画像処理部、１１３  記憶部、１１５  映像処理部、１１７  バス、１２１  第１の筐体、１２２  接続部、１２３  第２の筐体、１２５  スピーカ、１２７Ａ  内側液晶表示装置、１２７Ｂ  外側液晶表示装置、１２９  カメラ、１３１Ａ  操作ボタン、１３１Ｂ  数字ボタン、１３３  マイク、１３５  アンテナ、１３８  映像入出力部、１５０  テレビ受像機、１５１  ケーブル、５００，５９０，５９３  画面、５０１  アンテナピクト、５０２，５０３，５９３  画像、５１０，５９１，５９２  通話画面、５１１  通話者画像、５１２  メッセージ画像。
【図１】
2005354450.tif 000003
【図２】
2005354450.tif 000004
【図３】
2005354450.tif 000005
【図４】
2005354450.tif 000006
【図５】
2005354450.tif 000007
【図６】
2005354450.tif 000008
【図７】
2005354450.tif 000009
【図８】
2005354450.tif 000010
【図９】
2005354450.tif 000011